【手続補正書】
【提出日】平成22年8月6日(2010.8.6)
【手続補正１】
【補正対象書類名】特許請求の範囲
【補正対象項目名】全文
【補正方法】変更
【補正の内容】
【特許請求の範囲】
【請求項１】
データ通信セッションとの接続時のチャージを決定するシステムであって、
前記システムは、
ネットワークと少なくとも１つのワイヤレスデバイスとの間に配置されているワイヤレスルータであって、前記ワイヤレスルータは、前記少なくとも１つのワイヤレスデバイスのための前記ネットワークへのワイヤレス通信を提供する、ワイヤレスルータと、
前記データ通信セッションを計測する計測メソッドと、前記計測メソッドとともに用いられる対応するレートを決定するレーティングメソッドとを用いるように構成されているデータレーティングアプリケーションと
を備え、
前記データレーティングアプリケーションは、前記データ通信セッションとの接続時のチャージを計算するように用いられ、前記データレーティングアプリケーションは、前記ルータ内に存在する、システム。
【請求項２】
前記ワイヤレスデバイスは、携帯電話、コンピュータ、テレビ、アプライアンス、または、電話である、請求項１に記載のシステム。
【請求項３】
前記計測メソッドは、複数の計測メソッドから選択される、請求項１に記載のシステム。
【請求項４】
前記複数の計測メソッドは、接続メソッドによる計測を含み、
前記接続メソッドによる計測は、前記データ通信セッションのための接続が確立されていることに基づいて、前記データ通信セッションとの接続時のチャージを決定する、請求項３に記載のシステム。
【請求項５】
前記複数の計測メソッドは、時間メソッドによる計測を含み、
前記時間メソッドによる計測は、前記データ通信セッションの持続時間に基づいて、前記データ通信セッションとの接続時のチャージを決定する、請求項３に記載のシステム。
【請求項６】
前記複数の計測メソッドは、ボリュームメソッドによる計測を含み、
前記ボリュームメソッドによる計測は、前記データ通信セッション中に前記ワイヤレスデバイスによって送信および／または受信されたデータのボリュームに基づいて、前記データ通信セッションとの接続時のチャージを決定する、請求項３に記載のシステム。
【請求項７】
前記ボリュームメソッドによる計測は、キロバイト単位の計測、パケット単位の計測、または、所定のデノミネーション単位の計測をさらに含む、請求項６に記載のシステム。
【請求項８】
前記レーティングメソッドは、複数のレーティングメソッドから選択される、請求項１に記載のシステム。
【請求項９】
前記ネットワークは、前記ネットワーク内の複数のソースのうちの１つから前記ワイヤレスデバイスにデータを送信し、前記データレーティングアプリケーションは、前記ネットワーク内の前記複数のソースのうちのどれが前記データ通信セッション中に前記ワイヤレスデバイスにデータを送信しているかに基づいて、前記複数のレーティングメソッドのうちの１つを選択するように構成されている、請求項８に記載のシステム。
【請求項１０】
前記ネットワークは、前記ワイヤレスデバイスに複数のタイプのデータを送信し、前記データレーティングアプリケーションは、前記データ通信セッション中に前記ワイヤレスデバイスによって受信された前記複数のタイプのデータのうちの１つに基づいて、前記複数のレーティングメソッドのうちの１つを選択するように構成されている、請求項９に記載のシステム。
【請求項１１】
前記選択されるレーティングメソッドは、前記受信されたデータにおけるデータフィールドの値によって決定される、請求項１０に記載のシステム。
【請求項１２】
前記データレーティングアプリケーションは、前記データ通信セッションに対して選択されたサービスレベルに基づいて、前記複数のレーティングメソッドのうちの１つを選択するように構成されている、請求項８に記載のシステム。
【請求項１３】
前記選択されたサービスレベルは、前記データ通信セッション中のデータ送信の速度および／または精度に関連する、請求項１２に記載のシステム。
【請求項１４】
前記サービスレベルは、加入プロセス中にまたはユーザインターフェースを介してユーザによって選択される、請求項１２に記載のシステム。
【請求項１５】
前記データレーティングアプリケーションは、前記ワイヤレスデバイスに関連する請求金額を更新するようにアカウンティングアプリケーションと協働するように構成されている、請求項１に記載のシステム。
【請求項１６】
前記アカウンティングアプリケーションは、前記ワイヤレスデバイス内に存在する、請求項１５に記載のシステム。
【請求項１７】
前記アカウンティングアプリケーションは、前記ワイヤレスデバイスの外の位置に存在する、請求項１５に記載のシステム。
【請求項１８】
前記データレーティングアプリケーションは、前記データ通信セッションをセットアップする間に生じるセットアップ事象を検出すると、前記レーティングメソッドと前記計測メソッドとを選択するように構成されており、
前記セットアップ事象は、前記データ通信セッションが開始することを示すように、前記ネットワークまたは前記ワイヤレスデバイスのいずれかによって生成される、請求項１に記載のシステム。
【請求項１９】
前記データレーティングアプリケーションは、前記データ通信セッションの間に生じる開始事象を検出すると、前記計測メソッドと前記レーティングメソッドとを用いて、前記データ通信セッションとの接続時のチャージを決定することを開始するように構成されており、
前記開始事象は、前記データ通信セッションが開始したことを示すように、前記ネットワークまたは前記ワイヤレスデバイスのいずれかによって生成される、請求項１に記載のシステム。
【請求項２０】
前記データレーティングアプリケーションは、前記データ通信セッションの間に生じる終了事象を検出すると、前記計測メソッドと前記レーティングメソッドとを用いて、前記データ通信セッションとの接続時のチャージを決定することを終了するように構成されており、
前記終了事象は、前記データ通信セッションが終了したことを示すように、前記ネットワークまたは前記ワイヤレスデバイスのいずれかによって生成される、請求項１に記載のシステム。
【請求項２１】
前記ワイヤレスデバイスは、前記ワイヤレスデバイス内に存在する複数のさらなるアプリケーションを含み、
前記データレーティングアプリケーションは、前記ワイヤレスデバイス内に存在する前記複数のさらなるアプリケーションのうちのどれが前記データ通信セッション中に前記ワイヤレスデバイスによって受信されたデータを用いるかに基づいて、前記複数のレーティングメソッドのうちの１つを選択するように構成されている、請求項８に記載のシステム。
【請求項２２】
前記データレーティングアプリケーションは、前記データ通信セッション中に受信されたデータの利用に基づいて、前記レーティングメソッドを用いるように構成されている、請求項１に記載のシステム。
【請求項２３】
前記データ通信セッション中に受信されたデータは、ダウンロードされたアプリケーションであり、
前記チャージは、前記ダウンロードされたアプリケーションの利用の発生または期間に基づいて決定される、請求項２２に記載のシステム。
【請求項２４】
データ通信セッションとの接続時のチャージを決定するシステムであって、
前記システムは、
ネットワークと少なくとも１つのワイヤレスデバイスとの間に配置されているワイヤレスルータであって、前記ワイヤレスルータは、前記少なくとも１つのワイヤレスデバイスのための前記ネットワークへのワイヤレス通信を提供する、ワイヤレスルータと、
前記データ通信セッションを計測する複数の計測メソッドのうちの１つの計測メソッドと、前記選択された計測メソッドとともに用いられる対応するレートを決定する複数のレーティングメソッドのうちの１つのレーティングメソッドとを選択することにより、前記データ通信セッションとの接続時のチャージを計算するように構成されているデータレーティングアプリケーションと
を備え、
前記データレーティングアプリケーションは、前記ルータ内に存在する、システム。
【請求項２５】
前記ワイヤレスデバイスは、携帯電話、コンピュータ、テレビ、アプライアンス、または、電話である、請求項２４に記載のシステム。
【請求項２６】
前記データレーティングアプリケーションは、前記ワイヤレスデバイスに関連する請求金額を更新するようにアカウンティングアプリケーションと協働するように構成されている、請求項２４に記載のシステム。
【請求項２７】
前記アカウンティングアプリケーションは、前記ワイヤレスデバイス内に存在する、請求項２６に記載のシステム。
【請求項２８】
前記アカウンティングアプリケーションは、前記ワイヤレスデバイスの外の位置に存在する、請求項２６に記載のシステム。
【請求項２９】
前記データレーティングアプリケーションは、前記データ通信セッションをセットアップする間に生じるセットアップ事象を検出すると、前記レーティングメソッドと前記計測メソッドとを選択するように構成されており、
前記セットアップ事象は、前記データ通信セッションが開始することを示すように、前記ネットワークまたは前記ワイヤレスデバイスのいずれかによって生成される、請求項２４に記載のシステム。
【請求項３０】
前記データレーティングアプリケーションは、前記データ通信セッションの間に生じる開始事象を検出すると、前記選択された計測メソッドと前記選択されたレーティングメソッドとを用いて、前記データ通信セッションとの接続時のチャージを決定することを開始するように構成されており、
前記開始事象は、前記データ通信セッションが開始したことを示すように、前記ネットワークまたは前記ワイヤレスデバイスのいずれかによって生成される、請求項２４に記載のシステム。
【請求項３１】
前記データレーティングアプリケーションは、前記データ通信セッションの間に生じる終了事象を検出すると、前記選択された計測メソッドと前記選択されたレーティングメソッドとを用いて、前記データ通信セッションとの接続時のチャージを決定することを終了するように構成されており、
前記終了事象は、前記データ通信セッションが終了したことを示すように、前記ネットワークまたは前記ワイヤレスデバイスのいずれかによって生成される、請求項２４に記載のシステム。
【請求項３２】
前記ワイヤレスデバイスは、前記ワイヤレスデバイス内に存在する複数のさらなるアプリケーションを含み、
前記データレーティングアプリケーションは、前記ワイヤレスデバイス内に存在する前記複数のさらなるアプリケーションのうちのどれが前記データ通信セッション中に前記ワイヤレスデバイスによって受信されたデータを用いるかに基づいて、前記複数のレーティングメソッドのうちの１つを選択するように構成されている、請求項２４に記載のシステム。
【請求項３３】
前記データレーティングアプリケーションは、前記データ通信セッション中に受信されたデータの利用に基づいて、前記選択されたレーティングメソッドを用いるように構成されている、請求項２４に記載のシステム。
【請求項３４】
前記データ通信セッション中に受信されたデータは、ダウンロードされたアプリケーションであり、
前記チャージは、前記ダウンロードされたアプリケーションの利用の発生または期間に基づいて決定される、請求項３３に記載のシステム。
【請求項３５】
前記ネットワークは、前記ネットワーク内の複数のソースのうちの１つから前記ワイヤレスデバイスにデータを送信し、前記データレーティングアプリケーションは、前記ネットワーク内の前記複数のソースのうちのどれが前記データ通信セッション中に前記ワイヤレスデバイスにデータを送信しているかに基づいて、前記複数のレーティングメソッドのうちの１つを選択するように構成されている、請求項２４に記載のシステム。
【請求項３６】
前記ネットワークは、前記ワイヤレスデバイスに複数のタイプのデータを送信し、前記データレーティングアプリケーションは、前記データ通信セッション中に前記ワイヤレスデバイスによって受信された前記複数のタイプのデータのうちの１つに基づいて、前記複数のレーティングメソッドのうちの１つを選択するように構成されている、請求項２４に記載のシステム。
【請求項３７】
前記選択されるレーティングメソッドは、前記受信されたデータにおけるデータフィールドの値によって決定される、請求項３６に記載のシステム。
【請求項３８】
前記データレーティングアプリケーションは、前記データ通信セッションに対して選択されたサービスレベルに基づいて、前記複数のレーティングメソッドから前記レーティングメソッドを選択するように構成されている、請求項２４に記載のシステム。
【請求項３９】
前記選択されたサービスレベルは、前記データ通信セッション中のデータ送信の速度および／または精度に関連する、請求項３８に記載のシステム。
【請求項４０】
前記サービスレベルは、加入プロセス中にまたはユーザインターフェースを介してユーザによって選択される、請求項３８に記載のシステム。
【請求項４１】
前記複数の計測メソッドは、接続メソッドによる計測を含み、
前記接続メソッドによる計測は、前記データ通信セッションのための接続が確立されたことに基づいて、前記データ通信セッションとの接続時のチャージを決定する、請求項２４に記載のシステム。
【請求項４２】
前記複数の計測メソッドは、時間メソッドによる計測を含み、
前記時間メソッドによる計測は、前記データ通信セッションの持続時間に基づいて、前記データ通信セッションとの接続時のチャージを決定する、請求項２４に記載のシステム。
【請求項４３】
前記複数の計測メソッドは、ボリュームメソッドによる計測を含み、
前記ボリュームメソッドによる計測は、前記データ通信セッション中に前記ワイヤレスデバイスによって送信および／または受信されたデータのボリュームに基づいて、前記データ通信セッションとの接続時のチャージを決定する、請求項２４に記載のシステム。
【請求項４４】
前記ボリュームメソッドによる計測は、キロバイト単位の計測、パケット単位の計測、または、所定のデノミネーション単位の計測をさらに含む、請求項４３に記載のシステム。